(57)【要約】【課題】  ウィンカ音に関する差別化乃至カスタマイズを自在に設定可能なカー用品を提供することにある。【解決手段】  インターネットサイトなどからダウンロードした楽曲、人の声や動物の鳴き声などから構成される擬音データが擬音データメモリに記憶され、ウィンカ音として使用すべき擬音データを設定することができる。さらに、左右いずれかのウィンカが作動したとき、データメモリに記憶された擬音データをウィンカ音としてスピーカを介して発音させることができる。【選択図】  図１
2007057860.tif 000002
【特許請求の範囲】
【請求項１】
ウィンカリレーの出力パルス信号と方向指示器の方向指示信号とを少なくとも含む外部信号を入力するための外部信号入力端子と、
操作部と、
表示部と、
スピーカと、
不揮発性メモリデバイスで構成され、複数個の擬音データを格納可能な記憶容量を有する擬音データメモリと、
擬音データメモリに格納された複数個の擬音データの中でウィンカ音として使用すべき擬音データを設定するためのウィンカ音設定手段と、
方向指示信号が左右いずれかの指示状態を示すとき、ウィンカ音設定手段にて設定された擬音データを擬音データメモリから読み出し、かつウィンカリレーの出力パルス信号と同期してウィンカ音信号を生成してスピーカを介して発音させるウィンカ音出力制御手段と、
を、車両の適所に外付け可能な筐体に収容してなる、ことを特徴とするウィンカ音発生装置。
【請求項２】
ウィンカ音設定手段は、擬音データメモリに格納された複数個の擬音データの中でウィンカ音として使用すべき擬音データを左右方向別に設定可能とされており、かつ
ウィンカ音出力制御手段は、方向指示信号が左右いずれかの指示状態を示すとき、ウィンカ音設定手段にて設定された左右方向別の擬音データのうちで、そのときの方向指示信号の指示方向に対応する擬音データを擬音データメモリから読み出し、かつウィンカリレーの出力パルス信号と同期してウィンカ音信号を生成してスピーカを介して発音させる、
ことを特徴とする請求項１に記載のウィンカ音発生装置。
【請求項３】
ウィンカ音設定手段は、擬音データメモリに格納された複数個の擬音データの中でウィンカ音として使用すべき擬音データを時間帯別に設定可能とされており、かつ
ウィンカ音出力制御手段は、方向指示信号が左右いずれかの指示状態を示すとき、ウィンカ音設定手段にて設定された時間帯別の擬音データのうちで、そのときの時刻が属する時間帯に対応する擬音データを擬音データメモリから読み出し、かつウィンカリレーの出力パルス信号と同期してウィンカ音信号を生成してスピーカを介して発音させる、
ことを特徴とする請求項１に記載のウィンカ音発生装置。
【請求項４】
ウィンカ音設定手段は、擬音データメモリに格納された複数個の擬音データの中でウィンカ音として使用すべき擬音データを車速帯別に設定可能とされており、かつ外部信号には車速パルス信号が含まれており、さらに
ウィンカ音出力制御手段は、方向指示信号が左右いずれかの指示状態を示すとき、ウィンカ音設定手段にて設定された車速帯別の擬音データのうちで、そのときの車速が属する車速帯に対応する擬音データを擬音データメモリから読み出し、かつウィンカリレーの出力パルス信号と同期してウィンカ音信号を生成してスピーカを介して発音させる、
ことを特徴とする請求項１に記載のウィンカ音発生装置。
【請求項５】
擬音データメモリが、着脱可能な装着構造とされ、かつパソコンや携帯電話にも装着可能な汎用メモリモジュールとされており、それにより、パソコンや携帯電話を介してインターネット上からダウンロードされた擬音データにより書き替え可能とされている、
ことを特徴とする請求項１〜４のいずれかに記載のウィンカ音発生装置。
【請求項６】
擬音データメモリが、ケーブルを介してパソコンや携帯電話から送られてくる擬音データにより書き替え可能とされており、それにより、パソコンや携帯電話を介してインターネット上からダウンロードされた擬音データにより書き替え可能とされている、
ことを特徴とする請求項１〜４のいずれかに記載のウィンカ音発生装置。
【請求項７】
上記外部信号は、ハザードリレーの出力パルス信号を含み、
ウィンカ音設定手段は、擬音データメモリに格納された複数個の擬音データの中でウィンカ音として使用すべき擬音データをハザードＯＮ時に設定可能とされており、かつ
ウィンカ音出力制御手段は、ハザードＯＮ時の指示状態を示すとき、ウィンカ音設定手段にて設定されたハザードＯＮ時の擬音データを擬音データメモリから読み出し、かつハザードリレーの出力パルス信号と同期してウィンカ音信号を生成してスピーカを介して発音させる、
ことを特徴とする請求項１に記載のウィンカ音発生装置。
【請求項８】
上記外部信号は、ヘッドライトのスモールライトの点灯信号を含み、
ウィンカ音設定手段は、擬音データメモリに格納された複数個の擬音データの中で点灯確認音として使用すべき擬音データをスモールライトＯＮ時に設定可能とされており、かつ
ウィンカ音出力制御手段は、スモールライト点灯時の指示状態を示すとき、ウィンカ音設定手段にて設定されたスモールライト点灯時の擬音データ擬音データを擬音データメモリから読み出し、かつスモールライトの点灯信号と同期して点灯確認音信号を生成してスピーカを介して発音させる、
ことを特徴とする請求項１に記載のウィンカ音発生装置。
【発明の詳細な説明】
【技術分野】
【０００１】
本発明は、自動車の車内に擬音を流すための装置に係り、特に、ウィンカリレーの作動音を人為的な擬音に変換することを可能としたウィンカ音発生装置に関する。
【背景技術】
【０００２】
自動車のウィンカレバーが中立位置から左折位置又は右折位置に切換設定されると、ウィンカリレー（フラッシャリレー）が周期的にオンオフ動作を繰り返し、これに連動してウィンカレバーの切換位置（左折側又は右折側）に対応する側のランプ駆動リレーが周期的にオンオフ動作して、左折側又は右折側のウィンカランプが点滅する。このウィンカランプの点滅は、ウィンカレバーが中立位置に復帰されるまで継続する。
【０００３】
ウィンカリレーの接点機構としては、接触に際してかなりの衝撃音（カチンと言った音）を発するものが採用され、この衝撃音が所謂「ウィンカ音」と称される。このウィンカ音の存在により、ウィンカリレーの接点が焼き付いてオンオフを繰り返さないと言った異常、ウィンカレバーを戻し忘れると言った操作誤り、等を運転者はウィンカ音の有無により判断することができる。
【０００４】
なお、ウィンカレバーを作動させると、自動的に「右に曲がります・・・」等のアナウンス警告が発生する装置は既に知られている（例えば、特許文献１参照）。また、自動車の車内に流れる音に関する快適性を考慮して、ウィンカ音と他の車内音との調和を図る技術についても既に知られている（特許文献２参照）。
【特許文献１】特開平７−２３４９８０号公報
【特許文献２】特開２００５−１１２３４１号公報
【発明の開示】
【発明が解決しようとする課題】
【０００５】
自動車の運転者又は同乗者が車内音を楽しむためには各種カーオーディオに関する多数の提案が存在するし、走行安全性に関しては各種の居眠り防止音に関する提案もなされているが、なおもウィンカ音それ自体に関しては、車外に対する警告音（「右に曲がります・・・」）に関する提案は存在するものの、車内に流れるウィンカ音それ自体に着目する提案は未だなされていないのが現状である。
【０００６】
カー用品専門店の店頭に様々なアクセサリ部品が豊富に並ぶ今日、ウィンカ音に関する差別化乃至カスタマイズを自在に設定可能なカー用品が出現すれば、カー用品の分野において多大なる需要が喚起されるものと期待される。
【０００７】
この発明は、上述の技術的背景の下になされものであり、その目的とするところは、ウィンカ音に関する差別化乃至カスタマイズを自在に設定可能なカー用品を提供することにある。
【０００８】
この発明の更に他の目的並びに作用効果については、以下の明細書の記載を参照することにより、当業者であれば容易に理解される筈である。
【課題を解決するための手段】
【０００９】
この発明のウィンカ音発生装置は、ウィンカリレーの出力パルス信号と方向指示器の方向指示信号とを少なくとも含む外部信号を入力するための外部信号入力端子と、操作部と、表示部と、スピーカと、不揮発性メモリデバイスで構成され複数個の擬音データを格納可能な記憶容量を有する擬音データメモリと、擬音データメモリに格納された複数個の擬音データの中でウィンカ音として使用すべき擬音データを設定するためのウィンカ音設定手段と、方向指示信号が左右いずれかの指示状態を示すとき、ウィンカ音設定手段にて設定された擬音データを擬音データメモリから読み出し、かつウィンカリレーの出力パルス信号と同期してウィンカ音信号を生成してスピーカを介して発音させるウィンカ音出力制御手段と、を車両の適所に外付け可能な筐体に収容してなるものである。
【００１０】
「擬音データ」とは、楽曲、人の声、動物の鳴き声や効果音などが記憶されている音源データである。
【００１１】
このような構成によれば、楽曲、人の声や動物の鳴き声などの擬音をウィンカ音として、設定することができる。さらに、左右いずれかのウィンカスイッチが作動すると、ウィンカランプが点滅し、設定された擬音をウィンカランプ点滅と同時に出力することができる。
【００１２】
この発明の一実施態様においては、ウィンカ音設定手段は、擬音データメモリに格納された複数個の擬音データの中でウィンカ音として使用すべき擬音データを左右方向別に設定可能とされており、かつウィンカ音出力制御手段は、方向指示信号が左右いずれかの指示状態を示すとき、ウィンカ音設定手段にて設定された左右方向別の擬音データのうちで、そのときの方向指示信号の指示方向に対応する擬音データを擬音データメモリから読み出し、かつウィンカリレーの出力パルス信号と同期してウィンカ音信号を生成してスピーカを介して発音させる。
【００１３】
このような構成によれば、左右別々のウィンカ音を設定することができるため、運転者又は同乗者は、聴覚によって左右のウィンカスイッチのＯＮ／ＯＦＦを把握することができる。
【００１４】
この発明の一実施態様においては、ウィンカ音設定手段は、擬音データメモリに格納された複数個の擬音データの中でウィンカ音として使用すべき擬音データを時間帯別に設定可能とされており、かつウィンカ音出力制御手段は、方向指示信号が左右いずれかの指示状態を示すとき、ウィンカ音設定手段にて設定された時間帯別の擬音データのうちで、そのときの時刻が属する時間帯に対応する擬音データを擬音データメモリから読み出し、かつウィンカリレーの出力パルス信号と同期してウィンカ音信号を生成してスピーカを介して発音させる。
【００１５】
このような構成によれば、早朝、日中や夜間など、各時間帯の運転に適したウィンカ音を設定することができる。
【００１６】
この発明の一実施態様においては、ウィンカ音設定手段は、擬音データメモリに格納された複数個の擬音データの中でウィンカ音として使用すべき擬音データを車速帯別に設定可能とされており、かつ外部信号には車速パルス信号が含まれている。
【００１７】
さらにウィンカ音出力制御手段は、方向指示信号が左右いずれかの指示状態を示すとき、ウィンカ音設定手段にて設定された車速帯別の擬音データのうちで、そのときの車速が属する車速帯に対応する擬音データを擬音データメモリから読み出し、かつウィンカリレーの出力パルス信号と同期してウィンカ音信号を生成してスピーカを介して発音させる。
【００１８】
このような構成によれば、高速運転など、危険度の高い運転に適したウィンカ音を設定することができる。
【００１９】
この発明の好ましい一実施態様においては、擬音データメモリが、着脱可能な装着構造とされ、かつパソコンや携帯電話にも装着可能な汎用メモリモジュールとされており、それにより、パソコンや携帯電話を介してインターネット上からダウンロードされた擬音データにより書き替え可能である。
【００２０】
さらに、擬音データメモリが、ケーブルを介してパソコンや携帯電話から送られてくる擬音データにより書き替え可能とされており、それにより、パソコンや携帯電話を介してインターネット上からダウンロードされた擬音データにより書き替え可能である。
【００２１】
このような構成によれば、擬音データの書き換えは容易に行うことができる。そのため、利用者や利用状況に適した擬音データをウィンカ音として設定することができる。
【００２２】
この発明の一実施態様においては、上記外部信号は、ハザードリレーの出力パルス信号を含み、ウィンカ音設定手段は、擬音データメモリに格納された複数個の擬音データの中でウィンカ音として使用すべき擬音データをハザードＯＮ時に設定可能とされており、かつウィンカ音出力制御手段は、ハザードＯＮ時の指示状態を示すとき、ウィンカ音設定手段にて設定されたハザードＯＮ時の擬音データを擬音データメモリから読み出し、かつハザードリレーの出力パルス信号と同期してウィンカ音信号を生成してスピーカを介して発音させる。
【００２３】
このような構成によれば、ハザードＯＮ時にウィンカ音を設定することができるため、運転者又は同乗者は、聴覚によってハザードスイッチのＯＮ／ＯＦＦを把握することができる。
【００２４】
この発明の一実施態様においては、上記外部信号は、ヘッドライトのスモールライトの点灯信号を含み、ウィンカ音設定手段は、擬音データメモリに格納された複数個の擬音データの中で点灯確認音として使用すべき擬音データをスモールライトＯＮ時に設定可能とされており、かつウィンカ音出力制御手段は、スモールライト点灯時の指示状態を示すとき、ウィンカ音設定手段にて設定されたスモールライト点灯時の擬音データ擬音データを擬音データメモリから読み出し、かつスモールライトの点灯信号と同期して点灯確認音信号を生成してスピーカを介して発音させる。
【００２５】
このような構成によれば、ヘッドライトのスモールライトの点灯時に点灯確認音を設定することができるため、運転者又は同乗者は、聴覚によってヘッドライトのスモールライトのＯＮ／ＯＦＦを把握することができる。
【発明の効果】
【００２６】
本発明は、ウィンカ音に関する差別化乃至カスタマイズを自在に設定可能なカー用品を提供することにある。
【発明を実施するための最良の形態】
【００２７】
以下に本発明の好適な実施の一形態を添付図面に従って詳細に説明する。
【００２８】
本発明のウィンカ音発生装置の車載イメージ図が図１に示されている。同図に示されるように、ウィンカ音発生装置１は、自動車のダッシュボード３とハンドル４とが接続されているハンドル支持部５の上部に設置される。また、ハンドル支持部５には、ウィンカスイッチ（ウィンカレバー）２が装着されている。
【００２９】
図２には、本発明のウィンカ音発生装置の外観図が示されている。同図に示されるように、ウィンカ音発生装置１には、液晶表示部１０と、スピーカ１１と、メモリカード挿入口１２と、通信ケーブルジャック１３と、決定ボタン１４と、十字型選択ボタン１５とを含んでいる。
【００３０】
液晶表示部１０は、所謂ＳＴＮ（Ｓｕｐｅｒ  Ｔｗｉｓｔｅｄ  Ｎｅｍａｔｉｃ）液晶やＴＦＴ（Ｔｈｉｎ  Ｆｉｌｍ  Ｔｒａｎｓｉｓｔｏｒ）液晶である。液晶表示部１０には、ウィンカ音発生装置１の操作画面や擬音データ一覧が表示される。
【００３１】
スピーカ１１は、後に説明する装置内部の音合成ＬＳＩで生成されたウィンカ音信号の出力が行われる。
【００３２】
メモリカード挿入口１２は、コンパクトフラッシュ（登録商標）やメモリスティックなどの電子記憶媒体（メモリカード）７を接続するためのものである。メモリカード挿入口１２の内部には、電子記憶媒体（メモリカード）７と接続するための接続ジャックが設けられている。また、電子記憶媒体７には、楽曲、人の声、動物の鳴き声や効果音などから構成される擬音データが記憶される。
【００３３】
通信ケーブルジャック１３は、自動車から電力の供給や各出力信号を入力するために、ウィンカ音発生装置と自動車とを接続する通信ケーブルを接続させるものである。また、通信ケーブルジャック１３は、通信ケーブルを介して、携帯電話やパソコンなどの電子機器と接続することができ、電子機器の記憶装置に格納されている擬音データや、ダウンロードにより得た擬音データをウィンカ音設定装置にデータ移行することができる。
【００３４】
決定ボタン１４は、液晶表示部１０で表示された内容を決定して、操作を実行するための操作ボタンである。
【００３５】
十字型選択ボタン１５は、液晶表示部１０で表示された選択項目について、操作するためのボタンである。
【００３６】
ウィンカ音発生装置１のハードウェア構成図が図３に示されている。同図に示されるように、ウィンカ音発生装置１には、ＣＰＵ１０１と、ＲＡＭ１０２と、ＦＲＯＭ１０３と、音合成ＬＳＩ１０４と、Ａｍｐ１０５と、スピーカ１０６と、操作部１０７と、表示器１０８と、信号入力Ｉ／Ｆ１０９と、システムバス１１０とから構成されている。
【００３７】
ＣＰＵ１０１は、装置の動作を統括する中央処理装置である。ＣＰＵ１０１によって、ＲＡＭ１０２に格納された擬音発生プログラム、並びに設定プログラムが実行されることによって、擬音発生や音設定の機能がソフトウェア的に実現される。
【００３８】
ＲＡＭ１０２は、ＨＤＤ等である。ＲＡＭ１０２のデータ領域には、擬音発生プログラムと、設定プログラムと、各設定データとが記憶される。
【００３９】
ＦＲＯＭ１０３は、コンパクトフラッシュ（登録商標）やメモリスティックなどの電子記憶媒体（メモリカード）７であり、着脱可能な装着構造となっている。ＦＲＯＭ１０３のデータ領域には、擬音データが記憶される。
【００４０】
音合成ＬＳＩ１０４は、半導体集積回路である。音合成ＬＳＩ１０４では、擬音データがウィンカ音信号に変換される。
【００４１】
Ａｍｐ１０５は、スピーカ１０６を駆動するアンプ装置である。Ａｍｐ１０５では、ウィンカ音信号が増幅されてスピーカ１０６に出力される。
【００４２】
スピーカ１０６は、ウィンカ音を発音させる装置である。スピーカ１０６では、ウィンカ作動に連動してあらかじめ設定された音が発音される。
【００４３】
操作部１０７は、上述の決定ボタン１４と、十字型選択ボタン１５とから構成されている。これらの操作ボタンを押圧することにより、表示部１０８に表示された内容が実行される。
【００４４】
表示器１０８は、上述の液晶表示部１０である。表示部１０８では、操作画面や擬音データ一覧が表示される。
【００４５】
信号入力Ｉ／Ｆ１０９は、通信ケーブルを介して、各信号出力と接続されている。信号入力Ｉ／Ｆ１０９は、ウィンカリレーの出力パルス信号Ｓ１と、右側の方向指示信号Ｓ２１と、左側の方向指示信号Ｓ２２と、車速パルス信号Ｓ３を入力する。また、信号入力Ｉ／Ｆ１０９は、図示されている各信号以外にも、ハザードリレーの出力パルス信号とヘッドライトのスモールライトの点灯信号とを入力する。
【００４６】
図３のＲＡＭ１０２のメモリマップの詳細が図４に示されている。同図に示されるように、ＲＡＭメモリは、プログラム格納部と、データ格納部とに分類される。また、プログラム格納部は、擬音発生プログラムＰＧ１と、設定プログラムＰＧ２が格納され、データ格納部は、設定指示方向別データＳＤ１と、設定時刻（始）データＳＤ２と、設定時刻（終）データＳＤ３と、設定速度データＳＤ４と、擬音データ識別番号ＤＮ１〜ＤＮｎとが格納されている。擬音データ識別番号ＤＮ１〜ＤＮｎはウィンカ音を発生するために設定された擬音データの識別番号であり、後に説明するウィンカ音の設定でＦＲＯＭ１０３に格納されている擬音データの識別番号と紐付く状態になる。
【００４７】
さらに、ＦＲＯＭ１０３のメモリマップの詳細が図５に示されている。同図に示されるように、擬音データＤＴ１〜ＤＴｎと、擬音データ識別番号ＤＮ１〜ＤＮｎとが格納される。擬音データに該当する擬音データ識別番号が格納されているため、ＲＡＭ１０２で格納されている擬音データ識別番号ＤＮ１〜ＤＮｎを用いることにより、該当する擬音データを取得することができる。
【００４８】
ウィンカ音発生装置と通信機器との接続イメージ図が図６に示されている。なお、本実施形態の通信機器は、パソコン６を使用しているが、他に携帯電話やＰＤＡ（Ｐｅｒｓｏｎｎａｌ  Ｄｉｇｉｔａｌ  Ａｓｓｉｓｔａｎｔｓ）などインターネットサイトから、楽曲、人の声、動物の鳴き声や効果音などから構成されている擬音データをダウンロードできる通信機器も使用することができる。同図（ａ）に示されるように、ウィンカ音発生装置１は、擬音データ記憶用電子記憶媒体（メモリカード）７が着脱可能である。電子記憶媒体（メモリカード）７はパソコン６に接続され、擬音データがパソコン６の記憶装置から転送される。そして、ウィンカ音発生装置１は擬音データが格納された電子記憶媒体（メモリカード）７を接続することによって、パソコン６から転送された擬音データを使用することができる。
【００４９】
同図（ｂ）に示されるように、ウィンカ音発生装置１は、通信ケーブル８を介してパソコン６に接続され、擬音データがパソコン６の記憶装置から転送される。転送完了後、擬音データを使用することができる。
【００５０】
図６に示されるようなデータの通信方法を利用することにより、パソコンや携帯電話などの通信機器によって、インターネット上に存在する様々な音源サイトから楽曲、人の声、動物の鳴き声や効果音などの音源データを取得することができ、あらゆる音源データをウィンカ音として使用することができる。
【００５１】
ウィンカランプ点滅に関する電気回路図が図７に示されている。同図に示されるように、この回路図は、一般的な自動車のウィンカランプ点滅動作を示すものであり、バッテリ７０１、７０７と、イグニションスイッチ７０２と、ウィンカリレー（フラッシャリレー）７０３と、ウィンカスイッチ７０４と、パワーリレー（右）７０５と、パワーリレー（左）７０６と、ウィンカランプ（右前）７０８ａと、ウィンカランプ（右後）７０８ｂと、ウィンカランプ（左前）７０９ａと、ウィンカランプ（左後）７０９ｂとを含んでいる。
【００５２】
バッテリ７０１、７０７は、自動車に搭載されており、エンジンの稼働や各電子制御機器へ電力を供給するものである。この例では１２Ｖバッテリが使用されている。
【００５３】
イグニションスイッチ７０２は、エンジンや周辺機器（所謂ＡＣＣ、アクセサリ）のＯＮ／ＯＦＦの切り替えを行うものである。ウィンカはエンジンまたは周辺機器がＯＮの場合に作動する。
【００５４】
ウィンカリレー（フラッシャリレー）７０３は、「１２Ｖ」と「０Ｖ」との一定の間隔で電圧を出力させるリレーである。この例のウィンカリレー（フラッシャリレー）７０３の端子は３つあり、Ｌ端子は電源入力、Ｘ端子はフラッシャ出力、Ｐ端子はアース出力である。
【００５５】
ウィンカスイッチ７０４は、ハンドル支持部５に装着されているウィンカスイッチ（ウィンカレバー）２である。ウィンカスイッチ７０４の左右切り替えによって、右側または左側に電流が流れ、電流が流れた側のウィンカランプが点滅する。
【００５６】
なお、ウィンカランプの点滅のための具体的な動作については、当業者であれば容易に理解されるため説明は省略する。
【００５７】
また、図７に示されるように、フラッシャリレー７０３のフラッシャ出力部では、ウィンカリレーの出力パルス信号Ｓ１が出力され、さらに、ウィンカスイッチ７０４では、右側の方向指示信号Ｓ２１と左側の方向指示信号Ｓ２２とが出力される。出力された各信号は、通信ケーブルを介してウィンカ音発生装置１の信号入力Ｉ／Ｆ１０９へ送信される。
【００５８】
また、ウィンカＯＮ時にウィンカランプが点滅するのは、ウィンカ・ハザード切替スイッチ（不図示）がウィンカ側に切り替わっている状態である。このウィンカ・ハザード切替スイッチは通常時の段階でウィンカ側に切り替えられている。ハザードスイッチがＯＮの場合には、ウィンカ・ハザード切替スイッチがハザード側に切り替えられ、ウィンカ側の電流が遮断され、ハザード側の電流が流れる。図７のフラッシャーリレー７０３と同様に、ハザードリレーのフラッシャー出力からハザードリレーの出力パルス信号が出力され、通信ケーブルを介してウィンカ音発生装置１の信号入力Ｉ／Ｆ１０９へ送信される。
【００５９】
さらに、ウィンカスイッチ（ウィンカレバー）２に装備されているヘッドライトスイッチをスモールＯＮにした場合には、ヘッドライトのスモールライトの点灯信号が通信ケーブルを介してィンカ音発生装置１の信号入力Ｉ／Ｆ１０９へ送信される。
【００６０】
本発明のウィンカ音発生装置の動作を示すゼネラルフローチャートが図８に示されている。同図に示されるように、ウィンカ音発生装置１は、自動車内の所定の場所に設置され、通信ケーブルが接続されている状態で使用可能となる。使用可能な状態で、決定ボタン１４または十字型選択ボタン１５が押圧されると、液晶表示部１０には設定メニューが表示される。設定メニューがＯＮの場合には（ステップ８０１ＹＥＳ）、ウィンカ音発生の設定処理が行われる（ステップ８０２）。設定メニューがＯＦＦの場合には（ステップ８０１ＮＯ）、ウィンカ作動時の運用処理が行われる（ステップ８０３）。これらの処理は、イグニションスイッチがＯＦＦになるか、ウィンカ発生装置１と通信ケーブルとの接続が切断されるまで続けられる。
【００６１】
ウィンカ音発生の設定処理（ステップ８０２）の詳細を示すフローチャートが図９に示されている。同図に示されるように、ウィンカ音設定モードに切り替わったとき、ＲＡＭ１０２に記憶されている現在の設定内容が読み出される（ステップ９０１）。読み出された設定内容は、液晶表示部１０に出力され（ステップ９０２）、同時に設定モード選択画面が表示される（ステップ９０３）。設定モード選択画面は、「両側同音」、「左右別音」、「時間帯別」、「速度帯別」、「終了」の５つの選択項目が設けられている。それぞれの項目の設定操作は、決定ボタン１４と十字型選択ボタン１５とを用いて行われる。
【００６２】
また、図示しないが、この他設定モード選択画面には、ハザード設定とヘッドライト（スモール）設定が表示される。
【００６３】
設定モードの「両側同音」は、左右どちらのウィンカが作動しても、同じ擬音が発生される設定である。「左右別音」は、左右の別々のウィンカ音が発生される設定であり、右ウィンカ作動時に発生されるウィンカ音と、左ウィンカ作動時に発生されるウィンカ音とに分けることができる。「時間帯別」は、時間帯（開始時刻、終了時刻）を指定する設定であり、指定時間内に発生させるウィンカ音と、指定時間外に発生させるウィンカ音とに分けることができる。例えば、開始時刻を午後１０時、終了時間を午前５時に設定した場合には、午後１０時から午前５時までは、「Ａ」の擬音が発生されるように設定し、それ以外の時間では、「Ｂ」の擬音が発生されるように設定する。「速度帯別」は、速度帯を指定する設定であり、指定速度内に発生させるウィンカ音と、指定速度の超過時に発生させるウィンカ音とに分けることができる。例えば、速度を時速８０キロに設定した場合には、時速８０キロ未満の速度のときは、「Ｃ」の擬音が発生されるように設定し、時速８０キロを超過したときは、「Ｄ」の擬音が発生されるように設定する。
【００６４】
選択された設定モードが「両側同音」の場合には（ステップ９０４両側同音）、両側の音設定が行われる（ステップ９０５）。両側の音設定が行われると（ステップ９０５）、ＲＡＭ１０２内に格納されている設定指示方向データＳＤ１と擬音データ識別番号ＤＮ１〜ＤＮｎとのデータが更新され、設定内容が保存される（ステップ９０９）。
【００６５】
選択された設定モードが「左右別音」の場合には（ステップ９０４左右別音）、右側と左側との音設定がそれぞれ行われる（ステップ９０６）。左右それぞれの音設定が行われると（ステップ９０６）、ＲＡＭ１０２内に格納されている設定指示方向データＳＤ１と擬音データ識別番号ＤＮ１〜ＤＮｎとのデータが更新され、設定内容が保存される（ステップ９０９）。
【００６６】
選択された設定モードが「時間帯別」の場合には（ステップ９０４時間帯別）、該当時間帯の音設定が行われる（ステップ９０７）。該当時間帯の音設定処理は、開始時刻と終了時刻とから時間帯の設定が行われ、さらに設定時間内と設定時間外とで発生させるウィンカ音の設定が行われる。該当時間帯の音設定が行われると（ステップ９０７）、ＲＡＭ１０２のデータ格納部に格納されている設定時刻（始）データＳＤ２と設定時刻（終）データＳＤ３と擬音データ識別番号ＤＮ１〜ＤＮｎとのデータが更新され、設定内容が保存される（ステップ９０９）。
【００６７】
選択された設定モードが「速度帯別」の場合には（ステップ９０４速度帯別）、該当速度帯の音設定が行われる（ステップ９０８）。該当速度帯の音設定処理は、該当速度の設定が行われ、さらに設定速度内と設定速度超過とで発生させるウィンカ音の設定が行われる。該当速度帯の音設定が行われると（ステップ９０８）、ＲＡＭ１０２内に格納されている設定速度データＳＤ４と擬音データ識別番号ＤＮ１〜ＤＮｎとのデータが更新され、設定内容が保存される（ステップ９０９）。
【００６８】
設定内容が保存されると（ステップ９０９）、再び設定モード選択画面が表示される（ステップ９０３）。選択された設定モードが「終了」の場合には（ステップ９０４終了）、終了処理が行われ（ステップ９１０）、設定処理が終了し、以後の運用処理（ステップ８０３）で発音されるウィンカ音は、設定処理で設定された内容に基づいて変更される。
【００６９】
次に、ウィンカ作動時の運用処理（ステップ８０３）の詳細を示すフローチャートが図１０に示されている。同図に示されるように、ウィンカスイッチ（ウィンカレバー）２がＯＮ状態になったとき（ウィンカリレーの出力パルス信号Ｓ１が入力されたとき）、ＲＡＭ１０２に記憶されている設定内容が読み出される（ステップ１００１）。設定内容が読み出されると（ステップ１００１）、通信ケーブルを介して、右側の方向指示信号Ｓ２１と、左側の方向指示信号Ｓ２２と、車速パルス信号Ｓ３が入力され、走行状況が分析される（ステップ１００２）。
【００７０】
設定内容が「両側同音」で設定されている場合には（ステップ１００３ＹＥＳ）、時間帯判定処理１００４と速度帯判定処理１００５とが実行される（ステップ１００４、１００５）。
【００７１】
運用時の時間帯判定処理の詳細を示すフローチャートが図１１に示されている。同図に示されているように、設定内容が時間帯設定有りの場合には（ステップ１１０１ＹＥＳ）、現在の時刻と設定時間帯との判定が行われる。現在の時間が設定時間内の場合には（ステップ１１０３ＹＥＳ）、時間帯フラグＦｔに“１”が割り付けられる（ステップ１１０４）。現在の時間が設定時間外の場合には（ステップ１１０３ＮＯ）、時間帯フラグＦｔに“０”が割り付けられる（ステップ１１０５）。設定内容が時間帯設定無しの場合には（ステップ１０１ＮＯ）、時間帯判定は行われず、時間帯フラグＦｔに“０”が割り付けられる。
【００７２】
運用時の速度帯判定処理の詳細を示すフローチャートが図１２に示されている。同図に示されているように、設定内容が速度帯設定有りの場合には（ステップ１２０１ＹＥＳ）、現在の速度と設定速度との判定が行われる。現在の速度が設定速度を超過している場合には（ステップ１２０４ＹＥＳ）、速度帯フラグＦｓに“１”が割り付けられる（ステップ１２０４）。現在の速度が設定速度を超過していない場合には（ステップ１２０３ＮＯ）、速度帯フラグＦｓに“０”が割り付けられる。
【００７３】
図１０に戻って、時間帯判定処理と速度帯判定処理とが実行されると（ステップ１００４、１００５）、各判定処理の時間帯フラグＦｔと速度帯フラグＦｓとの値から、ＲＡＭ１０２のデータ格納部に格納されている擬音データ識別番号が取得される。取得された擬音データ識別番号を用いて、ＦＲＯＭ１０３の検索が行われる。検索後、ＦＲＯＭ１０３のデータ格納部に格納されている擬音データ識別番号に該当する擬音データが読み込まれる（ステップ１００６）。
【００７４】
設定内容が「左右別音」で設定されている場合には（ステップ１００３ＮＯ）、ウィンカスイッチ２の指示方向の判定（左右方向指示信号の入力判定）が行われる。左側の方向指示信号Ｓ２２が入力された場合には（ステップ１００７左）、両側同音時と同様に、時間帯判定処理と速度帯判定処理とが実行される（ステップ１００８、１００９）。時間帯判定処理と速度帯判定処理とが実行されると（ステップ１００８、１００９）、設定指示方向別データＳＤ１（左ウィンカ作動）と各判定処理の時間帯フラグＦｔと速度帯フラグＦｓとの値から、ＲＡＭ１０２のデータ部に格納されている擬音データ識別番号が取得される。取得された擬音データ識別番号を用いて、ＦＲＯＭ１０３の検索が行われる。検索後、ＦＲＯＭ１０３のデータ格納部に格納されている擬音データ識別番号に該当する擬音データが読み込まれる（ステップ１０１０）。
【００７５】
右側の方向指示信号Ｓ２１が入力された場合には（ステップ１００７右）、両側同音時と同様に、時間帯判定処理と速度帯判定処理とが実行される（ステップ１０１１、１０１２）。時間帯判定処理と速度帯判定処理とが実行されると（ステップ１０１１、１０１２）、設定指示方向別データＳＤ１（右ウィンカ作動）と各判定処理の時間帯フラグＦｔと速度帯フラグＦｓとの値から、ＲＡＭ１０２のデータ部に格納されている擬音データ識別番号が取得される。取得された擬音データ識別番号を用いて、ＦＲＯＭ１０３の検索が行われる。検索後、ＦＲＯＭ１０３のデータ格納部に格納されている擬音データ識別番号に該当する擬音データが読み込まれる（ステップ１０１３）。
【００７６】
該当する擬音データが読み込まれると（ステップ１００６、１０１０、１０１３）、読み込まれた擬音データが音合成ＬＳＩ１０４に出力される（ステップ１０１４）。音合成ＬＳＩ１０４に擬音データが出力されると、ウィンカ音信号が生成され、スピーカ１０６を介してウィンカ音が発生される。これらの処理は、ウィンカスイッチ２がＯＦＦ状態になるまで継続され、ウィンカスイッチ２がＯＮ状態の場合には（ステップ１０１５ＮＯ）、入力された各入力信号から走行状況が分析される（ステップ１００２）。ウィンカスイッチ２がＯＦＦ状態の場合には（ステップ１０１５ＹＥＳ）、ウィンカ音の発生が停止される。
【００７７】
なお、図示しないが、運用処理時にハザードスイッチまたはヘッドライト（スモールライト）がＯＮになった場合には、ステップ１００２の処理により、どのスイッチがＯＮになったか認識されるため、ウィンカＯＮ時と同様に各設定処理で設定した擬音データが発声される。
【００７８】
以上の実施形態のように、本ウィンカ音発生装置は、インターネットサイトなどからダウンロードした楽曲、人の声、動物の鳴き声や効果音などを、ウィンカ作動音として利用することができる。さらに左右別々のウィンカ音、時間帯や速度帯によるウィンカ音、ハザード音やスモールライトＯＮ時の点灯確認音の変更が容易に行うことができる。それにより、自動車を運転したり、自動車に乗る楽しさが向上する。
【産業上の利用可能性】
【００７９】
本発明は、ウィンカ音に関する差別化乃至カスタマイズを自在に設定可能なカー用品を提供することにある。
【図面の簡単な説明】
【００８０】
【図１】本発明のウィンカ音発生装置の車載イメージ図である。
【図２】本発明のウィンカ音発生装置の外観図である。
【図３】本発明のウィンカ音発生装置のハードウェア構成図である。
【図４】ウィンカ音発生装置のＲＡＭメモリの内容を示す説明図である。
【図５】ウィンカ音発生装置の擬音データ（ＦＲＯＭ）メモリの内容を示す説明図である。
【図６】ウィンカ音発生装置と通信機器との接続イメージ図である。
【図７】ウィンカランプ点滅に関する電気回路図である。
【図８】本発明のウィンカ音発生装置の動作を示すゼネラルフローチャートである。
【図９】ウィンカ音発生装置の設定処理の詳細を示すフローチャートである。
【図１０】ウィンカ音発生装置の運用処理の詳細を示すフローチャートである。
【図１１】運用時の時間帯判定処理の詳細を示すフローチャートである。
【図１２】運用時の速度帯判定処理の詳細を示すフローチャートである。
【符号の説明】
【００８１】
１        ウィンカ音発生装置
２        ウィンカスイッチ
３        ダッシュボード
４        ハンドル
５        ハンドル支持部
６        パソコン
７        電子記憶媒体（メモリカード）
８        通信ケーブル
１０      液晶表示部
１１      スピーカ
１２      メモリカード挿入口
１３      通信ケーブルジャック
１４      決定ボタン
１５      十字型選択ボタン
１０１    ＣＰＵ
１０２    ＲＡＭ
１０３    ＦＲＯＭ
１０４    音合成ＬＳＩ
１０５    Ａｍｐ
１０６    スピーカ
１０７    操作部
１０８    表示器
１０９    信号入力Ｉ／Ｆ
１１０    システムバス
７０１    バッテリ
７０２    イグニションスイッチ
７０３    ウィンカリレー（フラッシャリレー）
７０４    ウィンカスイッチ
７０５    パワーリレー（右）
７０６    パワーリレー（左）
７０７    バッテリ
７０８ａ  ウィンカランプ（右前）
７０８ｂ  ウィンカランプ（右後）
７０９ａ  ウィンカランプ（左前）
７０９ｂ  ウィンカランプ（左後）
Ｓ１      ウィンカリレーの出力パルス信号
Ｓ２１    右側の方向指示信号
Ｓ２２    左側の方向指示信号
Ｓ３      車速パルス信号
ＰＧ１    擬音発生プログラム
ＰＧ２    設定プログラム
ＳＤ１    設定指示方向別データ
ＳＤ２    設定時刻（始）データ
ＳＤ３    設定時刻（終）データ
ＳＤ４    設定速度データ
ＤＮ１    擬音データ識別番号
ＤＮｎ    擬音データ識別番号
ＤＴ１    擬音データ
ＤＴｎ    擬音データ
【図１】
2007057860.tif 000003
【図２】
2007057860.tif 000004
【図３】
2007057860.tif 000005
【図４】
2007057860.tif 000006
【図５】
2007057860.tif 000007
【図６】
2007057860.tif 000008
【図７】
2007057860.tif 000009
【図８】
2007057860.tif 000010
【図９】
2007057860.tif 000011
【図１０】
2007057860.tif 000012
【図１１】
2007057860.tif 000013
【図１２】
2007057860.tif 000014